(57)【要約】      （修正有）【課題】菓子を収納する容器に設けられた蓋を開けた際に、絵柄を立体的にポップアップさせ、楽しい視覚効果を演出するポップアップ菓子箱を提供する。【解決手段】菓子の箱形容器１に設けた蓋２を開いた際にポップアップ絵柄３が立ち上がり、ポップアップ絵柄３に描かれた絵柄が立体的に立ち上がる構成である。このように立体的な絵柄により菓子を食べる際に視覚的にも楽しむことができ、また、ポップアップ絵柄３から様々なことを連想することでより美味しくお菓子を味わうことができるポップアップ菓子箱を提供することができる。【選択図】図１
0003113209.tif 000002
【実用新案登録請求の範囲】
【請求項１】
菓子を収納する箱形容器と、
前記箱形容器の少なくとも一面を覆うように開閉自在に取り付けられた蓋と、
絵柄が描かれ、二つ折り以上の折り目が付けられて、前記蓋の裏面と前記箱形容器の前記面とに亘るように接着され、閉蓋時に前記折り目に沿って折り込まれて収容されるポップアップ部材と、
を具備し、
前記蓋の開蓋時に、前記ポップアップ部材は、前記蓋の裏面と前記箱形容器の前記面とから引っ張られ、前記折り目に沿って立ち上がり、立体的に絵柄を表示することを特徴とするポップアップ菓子箱。
【請求項２】
前記ポップアップ部材は、
少なくとも１つのＬＥＤ素子を具備し、
前記蓋の開蓋時に前記ＬＥＤ素子が点灯・点滅することを特徴とする請求項１に記載のポップアップ菓子箱。
【請求項３】
前記ＬＥＤ素子は、前記蓋の開蓋中においてランダムで点灯・点滅することを特徴とする請求項２に記載のポップアップ菓子箱。
【請求項４】
前記箱型容器は、前記ＬＥＤ素子を点灯・点滅させるスイッチを設けることを特徴とする請求項２に記載のポップアップ菓子箱。
【考案の詳細な説明】
【技術分野】
【０００１】
本考案は、蓋を開けた際に折り込まれた絵柄がポップアップして立体的な絵柄が設けられたポップアップ菓子箱に関する。
【背景技術】
【０００２】
従来、絵柄が立体的にポップアップ（飛び出す）する構造は、キャラクタ等の絵柄が描かれ、二つ折り以上の折り目が付けられた紙の両端が、開かれた二つ折り台紙の左右の台紙面に亘るように接着される。この台紙を閉じると、折り目に沿って折り込まれた状態となり、台紙を開くと絵柄が描かれた紙が左右から引っ張られ、折り目に沿って立ち上がる。
【０００３】
このポップアップする構造は、絵本などに適用されており、例えば実用新案文献１に開示されているようなポップアップ絵本となる。このポップアップ絵本は、複数の項からなり、見開き項を開いた際に絵柄をポップアップさせる構成である。
【０００４】
また、このような視覚効果をねらったもの以外にも、ボタン電池等で駆動されて予め録音された音楽や声が再生される小型音声再生機が知られており、お祝い電報などに搭載されている。また、例えば、実用新案文献２には、このような小型音声再生機が実装されたメロディーつき菓子入れが開示されている。この菓子入れは、蓋を開けるに伴って、予め録音されたメロディーが流れるように構成されている。
【特許文献１】実開平０７−０２７６９９号公報
【特許文献２】実開平０６−０３００９１号公報
【考案の開示】
【考案が解決しようとする課題】
【０００５】
しかしながら実用新案文献１に開示されているポップアップ絵本は、立体的な絵柄をポップアップさせているが、菓子箱には使用されていない。また、実用新案文献２に開示されているメロディーつき菓子入れは、絵柄をポップアップさせるといった視覚効果のある菓子箱ではない。
【０００６】
そこで本考案によれば、菓子を収納する容器に設けられた蓋を開けた際に、絵柄を立体的にポップアップさせ、楽しい視覚効果を演出するポップアップ菓子箱を提供することができる。
【課題を解決するための手段】
【０００７】
本考案は上記目的を達成するために、菓子を収納する箱形容器と、箱形容器の少なくとも一面を覆うように開閉自在に取り付けられた蓋と、絵柄が描かれ、二つ折り以上の折り目が付けられて、蓋の裏面と箱形容器の面とに亘るように接着され、閉蓋時に折り目に沿って折り込まれて収容されるポップアップ部材とを具備し、蓋の開蓋時に、ポップアップ部材が蓋の裏面と箱形容器の面とから引っ張られ、折り目に沿って立ち上がり、立体的に絵柄を表示するポップアップ菓子箱を提供する。
【考案の効果】
【０００８】
本考案によれば、菓子を収納する容器に設けられた蓋を開けた際に、絵柄が立体的にポップアップされ、楽しい視覚効果を演出するポップアップ菓子箱を提供することができる。
【考案を実施するための最良の形態】
【０００９】
以下、図面を参照して本考案の実施形態について詳細に説明する。  
図１は、本考案にかかわるポップアップ菓子箱の蓋を開いて、折り込まれた絵柄を立体的な絵柄にポップアップさせた状態を示す斜視図である。図２は、蓋を閉じた状態を示す斜視図であり、図３は、菓子箱の蓋を途中まで開いた状態を示す斜視図である。
【００１０】
図２に示すように、本考案のポップアップ菓子箱は、菓子を収納する箱形容器１の少なくとも一面（図１では上面とする）に比較的に硬質部材より作られた蓋２が、その上面を覆うように開閉自在に取り付けられて構成されている。図１に示すようにキャラクタとしてクリスマスを示唆する絵柄が描かれ、二つ折り以上の折り目が付けられたポップアップ絵柄３の両端が、開かれた蓋２の裏面と箱形容器１の上面とに亘るように接着される。尚、本実施形態では、ポップアップ絵柄３は紙製としているが、勿論これに限定されるものではなく、例えば、薄板形状やフィルム形状のものなどの樹脂製や金属製であってもよい。
【００１１】
次に、蓋２を閉じると、図３に示すように、そのポップアップ絵柄３が外にはみ出さないように折り目に沿って折り込まれ、図２に示すような蓋２が閉じられた状態となる。
【００１２】
蓋２を開くと、絵柄が描かれたポップアップ絵柄３が左右から引っ張られ、折り目に沿って立ち上がり、図１に示すようなあたかも飛び出したかのように立体的な絵柄となる。
【００１３】
このポップアップ絵柄３の絵柄は、クリスマスを示唆するプレゼントの入った袋を持つサンタクロース４、サンタクロース４をのせるそりを引くトナカイ５、プレゼント６、煙突付きの家７が描かれている。なお、このポップアップ絵柄３は、菓子箱のどの面に設けてもよく、設ける位置は限定されない。また、ポップアップ紙は、１つの面だけでなく、複数設けてもよい。
【００１４】
次に、このポップアップ菓子箱の蓋２の開閉によるポップアップ作用について説明する。  
図２に示すように蓋２が閉じた状態の菓子箱を受け取った受取人、例えば幼児が好奇心によって、又は箱形容器１の中に入っているチョコレートやクッキーといった菓子を取り出そうとして、蓋２を開けようとする。その際、図３に示すように折り込まれているポップアップ絵柄３が蓋２の開け具合によって序々に立ち上がり始める。蓋２を完全に開くと、図１に示すようにポップアップ絵柄３が立ち上がり、飛び出したかのように、クリスマスの絵柄が、幼児の目に留まる。これにより幼児は、驚きと共に絵柄に注目して視覚効果として楽しむことができ、また絵柄から様々なことを連想し、供与した人は、絵柄を通じて幼児とコミュニケートすることができる。
【００１５】
本実施形態では、プレゼントの入った袋を持つサンタクロース４等々、クリスマスの情景が描かれており、幼児は、サンタクロースのプレゼントを連想することでより味わい深く、思い出に残るように菓子を食することができる。
【００１６】
これにより、ポップアップ菓子箱は、菓子を収納する用途だけではなく、絵本的な要素を持ち合わせることにより、菓子を食しながら、ポップアップ紙に描かれた絵柄に鑑賞することができ、菓子による味覚だけではなく、絵柄による視覚的な楽しさを併せ持つことができる。また、このポップアップ菓子箱を通じて、心を和ませ且つ話題を提供して、周囲の人間とコミュニケートすることができる。
【００１７】
また本実施形態に用いた箱形容器１は、長方形状を例としているが、もちろんこの形に限定されることなく例えば正方形状や円筒形状など種々の形状の菓子箱に適用することができる。また、箱形容器１にポップアップ紙を直接的に設けるのではなく、箱形容器１に嵌め併せられた着脱する蓋部にポップアップ絵柄３を設けても同様の効果を得ることができる。
【００１８】
また、本実施形態では、クリスマスを示唆する絵柄を例として説明したが、限定されるものではなく、人気がある特定のキャラクタの絵柄でもよいし、また、家族の写真や似顔絵、風景といった、オリジナルな絵柄であってもよい。
【００１９】
さらに変形例として、箱形容器１にポップアップ紙を設けるだけでなく、ボタン電池等で駆動する小型音声再生機を設けてもよく、蓋の開蓋時に音楽を再生したり、予め録音したメッセージが流れるようにしてもよい。
【００２０】
またポップアップ絵柄３にＬＥＤ素子等の発光素子を設け、ポップアップ絵柄３がポップアップした際にＬＥＤ素子を点灯・点滅させる構成にしてもよい。図４に示すように星に例えばオレンジ色のＬＥＤ素子８、雪に例えば白色のＬＥＤ素子９を設け、ＬＥＤ素子８，９をランダムに点灯・点滅させる。これにより幼児などが、蓋２を開いた際に点灯・点滅するＬＥＤ素子により、より華やかなポップアップ絵柄３を視覚するため、より楽しむことができる。ＬＥＤ素子は、蓋２が開いた際に、点灯・点滅しても良いし、または予め決められたランダムパターンで点灯しても良い。さらに、箱形容器１に蓋２の開閉時にオンオフするスイッチ１０を設け、このスイッチ１０を押すことでＬＥＤ素子を点灯させる構成でも良い。もちろん人の操作によりオンオフするスイッチを設けても良い。
【００２１】
もちろん本考案は、上記変形例を組み合わせても良い。
【図面の簡単な説明】
【００２２】
【図１】本考案にかかわるポップアップ菓子箱の蓋を開いて、立体的に図柄がポップアップした状態を示す斜視図である。
【図２】菓子箱の蓋を閉じた状態を示す斜視図である。
【図３】菓子箱の蓋を途中まで開いた状態を示す斜視図である。
【図４】ポップアップ菓子箱の蓋を開いて、立体的に図柄がポップアップした際に、図柄に設けたＬＥＤ素子が点灯点滅した状態を示す斜視図である。
【符号の説明】
【００２３】
１：箱形容器、２：蓋、３：ポップアップ絵柄、４：プレゼントの入った袋を持つサンタクロース、５：サンタクロース４をのせるそりを引くトナカイ、６：プレゼント、７：煙突付きの家、８，９：ＬＥＤ素子、１０：スイッチ。
【図１】
0003113209.tif 000003
【図２】
0003113209.tif 000004
【図３】
0003113209.tif 000005
【図４】
0003113209.tif 000006